(57)【要約】【課題】スマートベッド及びその制御フローを提供することを課題とする。【解決手段】本発明は、スマートベッド及びその制御フローを提供し、生理学的モニタリング技術を用い、光ファイバーで人体の生理的活動及び睡眠の質をモニタリングし、電磁妨害を受けず、装着の必要もなく、夜間の離床点灯補助、マットレスの自動振動で知らせてくれる目覚まし時計設定、いびき補助及び生理的活動のシナリオにより家電を自動リモートコントロールして外部環境条件を改善する等の機能を更に備える。【選択図】図４
2018094372.tif 000002
【特許請求の範囲】
【請求項１】
マットレスと、
前記マットレス内に設けられたセンサーマットと、
前記マットレス内に設けられたシューマン共振発生器と、
前記マットレス内に設けられ、各々前記センサーマット及び前記シューマン共振発生器と電気的に接続するコントローラと、
前記マットレス内に設けられ、前記コントローラと電気的に接続する第１ブルートゥースデバイスと、
アプリケーションプログラムと第２ブルートゥースデバイスとを包括するスマートデバイスであって、前記アプリケーションプログラム及び前記第２ブルートゥースデバイスが前記スマートデバイス内に設けられた前記スマートデバイスと、
前記マットレス内に設けられ、前記コントローラと電気的に接続する電源管理供給装置と、
を含むスマートベッドにおいて、
前記センサーマットは人体の動きによって生理的活動情報を生成し、前記コントローラが前記生理的活動情報を分析して臥床の有無を判断し、前記スマートデバイスが前記生理的活動情報を受信並びに表示し、前記アプリケーションプログラムが前記生理的活動情報をまとめて集計すると共に制御コマンドを前記コントローラに生成するために用いられ、前記コントローラが前記制御コマンドを受信して制御信号を生成することを特徴とするスマートベッド。
【請求項２】
電動ベッドフレームと少なくとも１つの振動モータとを更に含み、前記マットレスが前記電動ベッドフレーム上に置かれ、前記少なくとも１つの振動モータが前記マットレス内に設けられ、かつ前記コントローラと電気的に接続することを特徴とする請求項１に記載のスマートベッド。
【請求項３】
前記コントローラは、処理モジュールとストレージモジュールとを含み、前記処理モジュールと前記ストレージモジュールとが接続し、前記処理モジュールが前記生理的活動情報を受信並びに分析して臥床の有無を判断すると共に前記制御コマンドを受信して前記制御信号を生成するために用いられ、前記ストレージモジュールが前記生理的活動情報を保存するために用いられることを特徴とする請求項１に記載のスマートベッド。
【請求項４】
前記生理的活動情報は、心拍、脈波、血圧、睡眠分析及び呼吸回数のうちの少なくとも１つを包括することを特徴とする請求項１に記載のスマートベッド。
【請求項５】
前記アプリケーションプログラムは、睡眠状態モードと睡眠記録モードと電動ベッド操作モードと家電制御モードと目覚まし時計モードとナイトライトモードといびき補助モードとを含むことを特徴とする請求項１に記載のスマートベッド。
【請求項６】
前記睡眠状態モードは、リアルタイムな心拍を表示し或いは呼吸回数を集計して呼吸活動曲線図としてまとめることであることを特徴とする請求項５に記載のスマートベッド。
【請求項７】
前記睡眠記録モードは、毎日、毎週、毎月集計した睡眠時間、覚醒、浅い眠り、深い眠りの時間及び割合、離床時間、臥床時間及び寝返り回数のうちの少なくとも１つを各々まとめて集計及び記録することを特徴とする請求項５に記載のスマートベッド。
【請求項８】
前記電動ベッド操作モードは、マッサージ方式と強弱、連動とマッサージ部位の選択であることを特徴とする請求項５に記載のスマートベッド。
【請求項９】
前記家電制御モードは、シナリオの設定並びに家電の自動リモートコントロール、家電連動の増設及びスマートソケットの増設のうちの少なくとも１つであることを特徴とする請求項５に記載のスマートベッド。
【請求項１０】
前記目覚まし時計モードは、目覚まし時計の時間を設定すると共に自動振動方式で起こすことであることを特徴とする請求項５に記載のスマートベッド。
【請求項１１】
前記ナイトライトモードは、夜間離床点灯・着床消灯及び時間設定であることを特徴とする請求項５に記載のスマートベッド。
【請求項１２】
前記いびき補助モードは、いびき音が６５デシベル以上を検出し、又は１回のいびきをかく時間、毎回いびきをかく時間の間隔制限を設定し、自動振動方式或いは高さの自動調整方式でいびきを解消することを特徴とする請求項５に記載のスマートベッド。
【請求項１３】
前記制御コマンドは、睡眠状態コマンド、睡眠記録コマンド、電動ベッド操作コマンド、家電制御コマンド、目覚まし時計制御コマンド、ナイトライト制御コマンド又はいびき補助コマンドが挙げられることを特徴とする請求項１に記載のスマートベッド。
【請求項１４】
前記制御信号は、睡眠状態信号、睡眠記録信号、電動ベッド操作信号、家電制御信号、目覚まし時計制御信号、ナイトライト制御信号或いはいびき補助信号が挙げられることを特徴とする請求項１に記載のスマートベッド。
【請求項１５】
スマートベッドの制御フローであって、
請求項１〜１４のいずれか一項に記載のスマートベッドを提供するステップＡと、
ＱＲ  ＣＯＤＥを入力してスマートデバイスのアプリケーションプログラムを起動するステップＢと、
前記アプリケーションプログラムの睡眠状態モード、睡眠記録モード、電動ベッド操作モード、家電制御モード、目覚まし時計モード、ナイトライトモード或いはいびき補助モードを選択するステップＣと、
センサーマットは人体の動きによって生理的活動情報を生成するステップＤと、
コントローラが前記生理的活動情報を分析して臥床の有無を判断して前記アプリケーションプログラムに伝送するステップＥと、
前記アプリケーションプログラムが前記生理的活動情報をまとめて集計すると共に制御コマンドを前記コントローラまでに生成するステップＦと、
前記コントローラが制御信号を生成して少なくとも１つの振動モータ、シューマン共振発生器、電動ベッドフレーム及び少なくとも１つの赤外線家電の作動を制御するステップＧと、
を含むことを特徴とするスマートベッドの制御フロー。
【請求項１６】
ステップＧにおいて、前記少なくとも１つの赤外線家電は、テレビ、扇風機、冷暖房、空気清浄機、音響機器、ＬＥＤ灯或いはコーヒーメーカーであることを特徴とする請求項１５に記載のスマートベッドの制御フロー。
【請求項１７】
ステップＧにおいて、前記コントローラが前記少なくとも１つの振動モータの作動を制御するのは、強くから弱く、５分間振動した後振動を停止することを特徴とする請求項１５に記載のスマートベッドの制御フロー。
【請求項１８】
前記いびき補助モードの検出条件としては、いびき音が６５デシベルを超え、１回当たりのいびき持続時間が０．６秒〜１．８秒、１回当たりのいびきをかく時間の間隔が１．４秒〜４秒、及び１回当たりのいびき音の間隔総時間の長さが２．８秒〜５．５秒のうちの少なくとも１つとすることを特徴とする請求項１５に記載のスマートベッドの制御フロー。
【発明の詳細な説明】
【技術分野】
【０００１】
本発明は、マットレスに関し、特に生理学的モニタリング技術を用いると共に家電をリモートコントロールできるスマートベッドに関する。
【背景技術】
【０００２】
現代人は、ストレス、徹夜及び疲労により、睡眠の質が悪い或いは不眠、更にいびきをかくことで、長期的に渡り睡眠障害を形成してしまうが、上記要因以外に、マットレスの品質も非常に大きな割合を占め、また外部環境の温度、湿度、光線等も睡眠の質に影響を及ぼしている。
【０００３】
従来のマットレスは、睡眠の質を改善するため、マットレスの構成を変えることで人間工学に適合することにより、マットレスの柔軟性、弾性、素材及び安定的に支持を提供すると共に圧力を放出できるかから着手し、快適なマットレスのみを提供でき、睡眠プロセスに対しモニタリング及び記録、又はいびき状況のモニタリング或いは睡眠に影響を及ぼす例えば温度、湿度、光線等の外部環境条件を変更できない。
【０００４】
これにより、従来のマットレスに合わせるウェアラブルタイプ及び貼付タイプの睡眠プロセスモニタリング装置が開発され、一般的に病院に設けて医療用途のみに提供されて、睡眠プロセスをモニタリングするために用いられ、自分の睡眠障害をチェック或いは睡眠の質を改善し、在宅で自らモニタリングできないため、非常に不便である。しかしながら、不慣れな環境で寝ると、睡眠障害又は睡眠の質が悪い人にとって、見知らぬ環境或いは体に睡眠プロセスモニタリング装置を装着若しくは貼付した場合、逆に入眠できなくなる。
【０００５】
このほかに、マットレス内に圧力センサを埋め込むものもあり、主に人体の静的及び動的時マットレス上に作用する圧力を利用して圧力信号を生成することで、人体が臥床しているのかどうか及び臥床の睡眠状態を判断しているが、容易に電磁妨害を受ける。
【発明の概要】
【発明が解決しようとする課題】
【０００６】
よって、本発明は、電磁妨害を受けないと共に睡眠プロセスをモニタリングと同時に、生理的活動のシナリオによって家電を自動的にリモートコントロールして外部環境条件を改善して睡眠の質を高め、いびき補助、マットレスの自動振動で知らせてくれる目覚まし時計設定及び夜間の離床点灯補助等の機能を更に備えるため、スマートベッドを提供することを目的とする。
【課題を解決するための手段】
【０００７】
上記目的を達成するため、本発明のスマートベッドは、マットレスと、該マットレス内に設けられたセンサーマットと、該マットレス内に設けられたシューマン共振発生器と、該マットレス内に設けられ、各々該センサーマット及び該シューマン共振発生器と電気的に接続するコントローラと、該マットレス内に設けられ、該コントローラと電気的に接続する第１ブルートゥース（登録商標）デバイスと、アプリケーションプログラムと第２ブルートゥースデバイスとを包括し、該アプリケーションプログラム及び該第２ブルートゥースデバイスが該スマートデバイス内に設けられたスマートデバイスと、該マットレス内に設けられ、該コントローラと電気的に接続する電源管理供給装置と、を含み、該センサーマットは人体の動きによって生理的活動情報を生成し、該コントローラが該生理的活動情報を受信並びに分析して臥床の有無を判断し、該スマートデバイスが該生理的活動情報を受信並びに表示し、該アプリケーションプログラムが該生理的活動情報をまとめて集計すると共に制御コマンドを該コントローラに生成するために用いられ、該コントローラが該制御コマンドを受信して制御信号を生成する。
【０００８】
該生理的活動情報は、心拍、脈波、血圧、睡眠分析及び呼吸回数のうちの少なくとも１つを包括する。該制御コマンドは、睡眠状態コマンド、睡眠記録コマンド、電動ベッド操作コマンド、家電制御コマンド、目覚まし時計制御コマンド、ナイトライト制御コマンド、いびき補助コマンドが挙げられる。該制御信号は、睡眠状態信号、睡眠記録信号、電動ベッド操作信号、家電制御信号、目覚まし時計制御信号、ナイトライト制御信号或いはいびき補助信号が挙げられる。
【０００９】
該コントローラは、処理モジュールとストレージモジュールとを含み、該処理モジュールと該ストレージモジュールとが接続し、該処理モジュールが該生理的活動情報を受信並びに分析して臥床の有無を判断すると共に該制御コマンドを受信して該制御信号を生成するために用いられ、該ストレージモジュールが該生理的活動情報を保存するために用いられる。該スマートデバイスの該アプリケーションプログラムと該第２ブルートゥースデバイスとが電気的に接続する。
【００１０】
該スマートデバイスの該アプリケーションプログラムは、該第２ブルートゥースデバイスを通じて該制御コマンドを無線伝送し、該スマートベッド内の該第１ブルートゥースデバイスを経由して該コントローラに伝送する。該第１ブルートゥースデバイスは、該生理的活動情報を該スマートデバイスに無線伝送するために用いられる。該第１ブルートゥースデバイスは、ブルートゥース（ブルートゥース１．０、ブルートゥース１．０Ｂ、ブルートゥース２．０＋ＥＤＲ、ブルートゥース２．１＋ＥＤＲ或いはブルートゥース３．０＋ＨＳ、ブルートゥース４．０）通信プロトコルとする。該スマートデバイスは、スマートフォン、タブレット型コンピュータ或いは個人用デジタル式補助装置（ＰＤＡ）とする。
【００１１】
該アプリケーションプログラムは、睡眠状態モードと睡眠記録モードと電動ベッド操作モードと家電制御モードと目覚まし時計モードとナイトライトモードといびき補助モードとを含む。該睡眠状態モードは、リアルタイムな心拍を表示し或いは呼吸回数を集計して呼吸活動曲線図としてまとめることである。該睡眠記録モードは、毎日、毎週、毎月集計した睡眠時間、覚醒、浅い眠り、深い眠りの時間及び割合、離床時間、臥床時間及び寝返り回数のうちの少なくとも１つを各々まとめて集計及び記録することである。該電動ベッド操作モードは、マッサージ方式と強弱、連動とマッサージ部位の選択である。該家電制御モードは、シナリオの設定並びに家電の自動リモートコントロール、家電連動の増設及びスマートソケットの増設のうちの少なくとも１つである。該目覚まし時計モードは、目覚まし時計の時間を設定すると共に自動振動方式で起こすことである。該ナイトライトモードは、夜間離床点灯・着床消灯及び時間設定である。該いびき補助モードは、いびき音が６５デシベル以上を検出し、又は１回のいびきをかく時間、毎回いびきをかく時間の間隔制限を設定し、自動振動方式或いは高さの自動調整方式でいびきを解消することである。
【００１２】
該マットレスは、表層とフィット層とを含み、該表層が該フィット層を覆い或いは該フィット層の上方に設けられる。該フィット層の底部は複数の溝を備えて、該マットレスの角度を自由に変換させることができ、また通気効果を奏することもできる。該フィット層は、少なくとも１つの素材を積層してからなり、該少なくとも１つの素材がスポンジ、ラテックス、不織布、グラスファイバーでできた綿、樹脂綿、フェルト、シリコン、クールジェル、ヤシ繊維、備長炭フォーム、ニードルパンチ或いはオープンセルフォームである。該表層素材は、熱可塑性ポリウレタン（ＴＰＵ）又は真綿、テンセル、ウール或いは絹である。
【００１３】
該マットレスは、該フィット層の下に設けられた支持層を更に含む。該支持層は、独立式ポケットコイルスプリング、ハニカム配列の独立式ポケットコイルスプリング、連結式スプリング、連続スプリング或いは高炭素鋼スプリングである。
【００１４】
該スマートベッドは、電動ベッドフレームを更に含み、該マットレスが該電動ベッドフレーム上に置かれる。該シューマン共振発生器は、人体に対し７Ｈｚ〜８Ｈｚの低周波を発生させて、快眠効果を奏する。
【００１５】
該スマートベッドは、該マットレス内に設けられた少なくとも１つの振動モータを更に含み、該少なくとも１つの振動モータが該コントローラと電気的に接続する。
【００１６】
本発明の別の目的は、スマートベッドの制御フローを提供することであり、先に述べた該スマートベッドを提供するステップＡと、ＱＲ  ＣＯＤＥを入力してスマートデバイスのアプリケーションプログラムを起動するステップＢと、該アプリケーションプログラムの睡眠状態モード、睡眠記録モード、電動ベッド操作モード、家電制御モード、目覚まし時計モード、ナイトライトモード或いはいびき補助モードを選択するステップＣと、センサーマットは人体の動きによって生理的活動情報を生成するステップＤと、コントローラが該生理的活動情報を分析して臥床の有無を判断するステップＥと、該アプリケーションプログラムが該生理的活動情報をまとめて集計すると共に制御コマンドを該コントローラまでに生成するステップＦと、該コントローラが制御信号を生成して少なくとも１つの振動モータ、シューマン共振発生器及び少なくとも１つの赤外線家電の作動を制御するステップＧと、を含む。ステップＥにおいて利用者が臥床していないと判断した時、ステップＤを繰り返し、利用者が臥床している時、ステップＦへ進む。
【００１７】
ステップＧにおいて該コントローラが該少なくとも１つの振動モータの作動を制御するのは、強くから弱く、５分間振動した後振動を停止する。該いびき補助モードの検出条件としては、いびき音が６５デシベルを超え、１回当たりのいびき持続時間が０．６秒〜１．８秒、１回当たりのいびきをかく時間の間隔が１．４秒〜４秒、及び１回当たりのいびき音の間隔総時間の長さが２．８秒〜５．５秒のうちの少なくとも１つとする。
【００１８】
ステップＧにおいて、該少なくとも１つの赤外線家電は、テレビ、扇風機、冷暖房、空気清浄機、音響機器、ＬＥＤ灯或いはコーヒーメーカーである。
【発明の効果】
【００１９】
先述から分かるように、本発明のスマートデバイスと光ファイバー型センサーマットはブルートゥースを通じてペアリングして接続し、スマートベッドが光ファイバーを新型高感度・高確度な生理学的センサとして用い、呼吸、心拍、脈波、血圧、睡眠分析、動きを包括する非侵襲性的に人体生理的活動をモニタリングし、温度、湿度等の変化もモニタリングでき、睡眠プロセスをモニタリングすると同時に、生理的活動情報によってシナリオ条件を設定することで、家電を自動的にリモートコントロールし、スマートソケットとセットして赤外線家電の電源オンオフを制御し、外部環境を改善して睡眠の質を向上できるだけではなく、更にマットレスの自動振動で知らせてくれる目覚まし時計設定、夜間の離床点灯・着床消灯、及びベッドの自動振動又は高さを自動調整していびきを解消する機能を備える。本発明は、光ファイバー型センサーマットを使用するため、伝導性を有せず、受動式電子に属するので、電磁妨害（ＥＭＩ）のノイズの影響を受けない。
【図面の簡単な説明】
【００２０】
【図１（ａ）】本発明に係るマットレスの側面図である。
【図１（ｂ）】本発明に係るマットレスの上面図である。
【図１（ｃ）】本発明の別の実施例に係るマットレスの側面図である。
【図１（ｄ）】本発明の別の実施例に係るマットレス側面図である。
【図２】本発明に係るフィット層の溝を示す模式図である。
【図３】本発明に係る電動ベッドフレームを示す模式図である。
【図４】本発明に係るスマートベッドの構成を示す模式図である。
【図５】本発明に係るアプリケーションプログラムの各モードを示す模式図である。
【図６】本発明に係る睡眠状態モードを示す模式図である。
【図７（ａ）】本発明に係る睡眠記録モードを示す模式図一である。
【図７（ｂ）】本発明に係る睡眠記録モードを示す模式図二である。
【図７（ｃ）】本発明に係る睡眠記録モードを示す模式図三である。
【図８】本発明に係る電動ベッド操作モードを示す模式図である。
【図９】本発明に係る家電制御モードを示す模式図である。
【図１０（ａ）】本発明に係る家電制御モードにおけるテレビの制御を示す模式図である。
【図１０（ｂ）】本発明に係る家電制御モードの冷暖房の制御を示す模式図である。
【図１０（ｃ）】本発明に係る家電制御モードのナイトライトの制御を示す模式図である。
【図１０（ｄ）】本発明に係る家電制御モードの扇風機の制御を示す模式図である。
【図１０（ｅ）】本発明に係る家電制御モードのコーヒーメーカーの制御を示す模式図である。
【図１１（ａ）】本発明に係る家電制御モードの空気清浄機の制御を示す模式図一である。
【図１１（ｂ）】本発明に係る家電制御モードの空気清浄機の制御を示す模式図二である。
【図１１（ｃ）】本発明に係る家電制御モードの空氣清淨の制御を示す模式図三である。
【図１１（ｄ）】本発明に係る家電制御モードの空氣清淨の制御を示す模式図四である。
【図１２】本発明に係る家電制御モードにおける追加制御を示す模式図である。
【図１３】本発明に係る目覚まし時計モードを示す模式図である。
【図１４】本発明に係るナイトライトモードを示す模式図である。
【図１５】本発明に係るいびき補助モードを示す模式図である。
【図１６】本発明に係るスマートベッドでモニタリングした呼吸曲線図である。
【図１７】本発明に係るスマートベッドの制御フローチャートである。
【図１８】本発明に係る目覚まし時計モードの制御フローである。
【図１９】本発明に係るナイトライトモードの制御フローである。
【図２０】本発明に係るいびき補助モードの制御フローである。
【図２１】本発明に係る家電制御モードの赤外線学習フローチャートである。
【図２２】本発明に係るシューマン共振発生器の制御フローである。
【発明を実施するための形態】
【００２１】
図１（ａ）、図１（ｂ）、図１（ｃ）及び図２を参照すると、図１（ａ）は本発明に係るマットレスの側面図であり；図１（ｂ）が本発明に係るマットレスの上面図であり；図１（ｃ）が本発明の別の実施例に係るマットレスの側面図であり；図２が本発明に係るフィット層の溝を示す模式図である。図１（ａ）及び図１（ｃ）に示すように、本発明のマットレス１０は、表層１１とフィット層１２とを含み、該表層１１が該フィット層１２の上方に設けられ、或いは該表層１１が該フィット層１２を覆う。該表層１１の素材は熱可塑性ポリウレタン（ＴＰＵ）で、医療用防水材料とする。該フィット層１２の素材は高密度スポンジで、反発性が良好で、耐久・耐圧し、疲労しにくく、体にフィットして寝心地はとても良い。図２に示すように、該フィット層１２の底部は複数の溝１２０を有することができ、該マットレス１０の角度を自由に変更させ、通気効果を奏することもできる。
【００２２】
図１（ａ）及び図１（ｂ）に示すように、本発明の一実施例の該マットレス１０の寸法は、１９１ｃｍ×９１ｃｍ×１０ｃｍで、つまり長さ（Ｌ）が１９１ｃｍ、幅（Ｗ）が９１ｃｍ、高さ（Ｈ）が１０ｃｍとする。該センサーマット２０の寸法は、８５ｃｍ×５０ｃｍ×２．２ｃｍで、つまり長さ（Ｌ’）が８５ｃｍ、幅（Ｗ’）が５０ｃｍ、高さ（Ｈ’）が２．２ｃｍとする。該センサーマット２０は、該マットレス１０の上層２ｃｍ箇所に設けられ、それぞれ長さＬ及び幅Ｗ５ｃｍから離れる。
【００２３】
図１（ｄ）を参照すると、図１（ｄ）は、本発明の別の実施例に係るマットレスの側面図である。図１（ｄ）に示すように、該マットレス１０は、該表層１１と該フィット層１２とを含む以外に、該フィット層１２の下に設けられ、体重を均一に支える支持層１３を更に含むことができる。該支持層１３は、独立式ポケットコイルスプリング、ハニカム配列の独立式ポケットコイルスプリング、連結式スプリング、連続スプリング或いは高炭素鋼スプリングとすることができる。該表層１１及び該フィット層１２は、各々順次に外方から内方へ該支持層１３の上下方に対称的に設けられる。
【００２４】
上記素材以外に、該表層１１は、視覚及び触覚を配慮し、通常肌触り、通気性、吸汗素材が好ましく、例えば真綿、テンセル、ウール又は絹等である。且つ該フィット層１２も少なくとも１つの素材を積層してからなることもできる。該少なくとも１つの素材は、スポンジ、ラテックス、不織布、グラスファイバーでできた綿、樹脂棉、フェルト、シリコン、クールジェル、ヤシ繊維、備長炭フォーム、ニードルパンチ或いはオープンセルフォームである。異なる素材に異なる特性及び機能があり、例えばラテックスは天然素材で、自体が非常に優れた弾性及び支持性を持ち、更に通気性、非化学合成、高密度、長寿命等の特性を持っている。シリコンは形状記憶フォームも呼ばれ、軟硬度が温度の違いによって変更（熱いと柔らかくなり、冷たいと硬くなる）し、形作る可能性、フィット等の特性を更に持っている。不織布の最大長所は、通気、柔軟、縫いやすく、折り畳みに耐え、絶縁、防雨、漏れ防止、高靭性、抗菌、衛生、強い吸水性及び低コスト等の特性である。グラスファイバーでできた綿の繊維の空隙数が多ければ多いほど、それの通気性、保温性、フワフワ性が良くなる。樹脂綿は、従来のスポンジを代替し、不変色、高弾性、耐水洗、質感が軽い等の特性を持っている。オープンセルフォームは、優れた吸着性、通気性を持っている。クールジェルは、人体の体温を調整する機能を有し、熱いと柔らかくなり、冷たいと硬くなる問題がない。備長炭フォームは、ダニ防止、抗菌、異臭除去等の特性を持っている。よって、快適性、通気性、弾性、フィット性、支持性等を増進する目的のため、様々な素材を積層してからなり、ミルフィーユのような該フィット層１２を選択できる。
【００２５】
図１（ａ）、図１（ｂ）、図１（ｃ）及び図４を参照すると、図４は、本発明に係るスマートベッドの構成を示す模式図である。本発明のスマートベッド１は、マットレス１０と、該マットレス１０の該フィット層１２内に設けられたセンサーマット２０と、該マットレス１０の該フィット層１２内に設けられたシューマン共振発生器３０と、該マットレス１０の該フィット層１２内に設けられ、各々該センサーマット２０及び該シューマン共振発生器３０と電気的に接続するコントローラ４０と、該マットレス１０の該フィット層１２内に設けられ、該コントローラ４０と電気的に接続する第１ブルートゥースデバイス５０と、アプリケーションプログラム６１と第２ブルートゥースデバイス６２とを含み、該アプリケーションプログラム６１及び該第２ブルートゥースデバイス６２は該スマートデバイス６０内に設けられ、該アプリケーションプログラム６１が該第２ブルートゥースデバイス６２と電気的に接続するスマートデバイス６０と、該マットレス１０内に設けられ、該コントローラ４０と電気的に接続する電源管理供給装置７０と、を含む。
【００２６】
該コントローラ４０は、処理モジュール４１とストレージモジュール４２とを含み、該処理モジュール４１と該ストレージモジュール４２とが接続し、該処理モジュール４１が該生理的活動情報を受信並びに分析して臥床の有無を判断すると共に該制御コマンドを受信して該制御信号を生成するために用いられ、該ストレージモジュール４２が該生理的活動情報を保存するために用いられる。
【００２７】
該第１ブルートゥースデバイス５０及び該第２ブルートゥースデバイス６２は、ブルートゥース（ブルートゥース１．０、ブルートゥース１．０Ｂ、ブルートゥース２．０＋ＥＤＲ、ブルートゥース２．１＋ＥＤＲ或いはブルートゥース３．０＋ＨＳ、ブルートゥース４．０）通信プロトコルとする。該スマートデバイス６０は、スマートフォン、タブレット型コンピュータ或いは個人用デジタル式補助装置（ＰＤＡ）である。該スマートデバイス６０と該センサーマット２０は、ブルートゥースを通じてペアリングして接続し、ブルートゥース伝送範囲の障害物のない距離は３０ｍを上回り、住まい環境の約１０〜２０ｍで構外ネットワーク、ＬＡＮなくても独立して動作できる。
【００２８】
該スマートベッド１は、少なくとも１つの振動モータ８０を更に含むことができ、該少なくとも１つの振動モータ８０が該マットレス１０内に設けられ、該コントローラ４０と電気的に接続する。
【００２９】
図３を参照すると、図３は本発明に係る電動ベッドフレームを示す模式図である。本発明の該スマートベッド１は、電動ベッドフレーム９０を更に含み、該マットレス１０が該電動ベッドフレーム９０上に置かれる。
【００３０】
図４を参照すると、該センサーマット２０は、人体の動きによって生理的活動情報を生成し、該生理的活動情報が心拍、脈波、血圧、睡眠分析（覚醒、浅い眠り、深い眠り）及び呼吸回数のうちの少なくとも１つを含む。該コントローラ４０は、該生理的活動情報を受信並びに分析して臥床の有無を判断する。該コントローラ４０は、該第１ブルートゥースデバイス５０を経由して該生理的活動情報を該スマートデバイス６０に無線伝送する。該スマートデバイス６０は、該生理的活動情報を受信並びに表示し、該アプリケーションプログラム６１が制御コマンドを生成するために用いられ、また該第２ブルートゥースデバイス６２を通じて該制御コマンドに無線伝送し、該第１ブルートゥースデバイス５０を経由して該コントローラ４０までに伝送する。該制御コマンドは、睡眠状態コマンド、睡眠記録コマンド、電動ベッド操作コマンド、家電制御コマンド、目覚まし時計制御コマンド、ナイトライト制御コマンド、いびき補助コマンドである。該コントローラ４０は、該制御コマンドを受信して制御信号を生成し、該制御信号が睡眠状態信号、睡眠記録信号、電動ベッド操作信号、家電制御信号、目覚まし時計制御信号、ナイトライト制御信号或いはいびき補助信号である。
【００３１】
人体が該マットレス１０上に横になった時、該スマートデバイス６０により該シューマン共振発生器３０のオン／オフを制御し、利用者が臥床している時、該シューマン共振発生器３０の電源を投入し、利用者が離床した時該シューマン共振発生器３０の電源を切断する。該シューマン共振発生器３０は、人体に対し７Ｈｚ〜８Ｈｚの低周波、つまりシューマンを発生し、周波数から見るとα波に相当し、つまり安静時の脳波で、人間が目を閉じて安静状態になると、この種の脳波を呈するため、人体がシューマン波の影響を受けると、共振が発生する可能性があることで、快眠効果を奏する。
【００３２】
図５を参照すると、図５は、本発明に係るアプリケーションプログラムの各モードを示す模式図である。該アプリケーションプログラム６１は、睡眠状態モード６１０と睡眠記録モード６２０と電動ベッド操作モード６３０と家電制御モード６４０と目覚まし時計モード６５０とナイトライトモード６６０といびき補助モード６７０とを含む。該睡眠状態モード６１０は、リアルタイムな心拍を表示し或いは呼吸回数を集計して呼吸活動曲線図としてまとめることである。該睡眠記録モード６２０は、毎日・毎週・毎月の睡眠時間、覚醒、浅い眠り、深い眠りの時間及び割合、離床時間、臥床時間及び寝返り回数を各々まとめて集計及び記録することである。該電動ベッド操作モード６３０は、マッサージ方式と強弱、連動とマッサージ部位の選択である。該家電制御モード６４０は、シナリオの設定並びに家電の自動リモートコントロール、家電連動の増設及びスマートソケットの増設である。該目覚まし時計モード６５０は、目覚まし時計の時間を設定すると共に自動振動方式で起こすことである。該ナイトライトモード６６０は、夜間離床点灯・着床消灯及び時間設定である。該いびき補助モード６７０は、いびき音が６５デシベル以上を検出し、又は１回のいびきをかく時間、毎回いびきをかく時間の間隔制限を設定し、自動振動方式或いは高さの自動調整方式でいびきを解消することである。
【００３３】
先述から分かるように、本発明のスマートベッド１が光ファイバーを新型高感度・高確度な生理学的センサとして用い、呼吸、心拍、脈波、血圧、睡眠分析、動きを包括する非侵襲性的に人体生理的活動をモニタリングし、温度、湿度等の変化もモニタリングできる。光ファイバーを利用して検出するため、電磁妨害（ＥＭＩ）のノイズの影響を受けず、また遠距離でデータを伝送でき、ほとんど信号を損失することなく、耐高温、火花及び静電気を発生しないなどの特性を持っている。このほかに、該スマートベッド１は、ブルートゥースを通じて該スマートデバイス６０と双方向に伝送し、睡眠プロセスをモニタリングすると同時に、生理的活動情報によってシナリオ条件を設定することで、家電を自動的にリモートコントロールし、スマートソケットとセットして赤外線家電の電源スイッチを制御し、外部環境を改善して睡眠の質を向上できるだけではなく、更にマットレスの自動振動で知らせてくれる目覚まし時計設定、夜間の離床点灯・着床消灯、及びベッドの自動振動又は高さを自動調整していびきを解消する機能を備えるため、構外ネットワーク、ＬＡＮなくても独立して動作できる。
【００３４】
図１７を参照すると、図１７は本発明に係るスマートベッドの制御フローチャートである。本発明のスマートベッド１の制御フローは、先に述べた該スマートベッドを提供するステップＡと、ＱＲ  ＣＯＤＥを入力してスマートデバイスのアプリケーションプログラムを起動するステップＢと、該アプリケーションプログラムの睡眠状態モード、睡眠記録モード、電動ベッド操作モード、家電制御モード、目覚まし時計モード、ナイトライトモード或いはいびき補助モードを選択するステップＣと、センサーマットは人体の動きによって生理的活動情報を生成するステップＤと、コントローラが該生理的活動情報を分析して臥床の有無を判断するステップＥと、該アプリケーションプログラムが該生理的活動情報をまとめて集計すると共に制御コマンドを該コントローラまでに生成するステップＦと、該コントローラが制御信号を生成して少なくとも１つの振動モータ、シューマン共振発生器及び少なくとも１つの赤外線家電の作動を制御するステップＧと、を含む。ステップＥにおいて利用者が臥床していないと判断した時、ステップＤを繰り返し、利用者が臥床している時、ステップＦへ進む。
【００３５】
ステップＧにおいて、該少なくとも１つの赤外線家電は、テレビ、扇風機、冷暖房、空気清浄機、音響機器、ＬＥＤ灯或いはコーヒーメーカーである。
【００３６】
以下、該アプリケーションプログラム６１の各モード及び制御フローを詳述する。図４、図５、図６、図７（ａ）、図７（ｂ）及び図７（ｃ）を参照すると、図６は、本発明に係る睡眠状態モードを示す模式図であり；図７（ａ）が本発明に係る睡眠記録モードを示す模式図一であり；図７（ｂ）が本発明に係る睡眠記録モードを示す模式図二であり；図７（ｃ）が本発明に係る睡眠記録モードを示す模式図三である。利用者は、該スマートデバイス６０でＱＣコードを入力して該アプリケーションプログラム６１を起動した後、該睡眠状態モード６１０を選択すると、睡眠状態コマンドを生成し、同時に人体が該マットレス１０上に横になって眠りにつけ、該センサーマット２０が人体の動きによって該生理的活動情報を生成して該コントローラ４０の該ストレージモジュール４２に伝送して保存し、該コントローラ４０の該処理モジュール４１が該生理的活動情報を受信した後、臥床の有無を判断し、また該第１ブルートゥースデバイス５０及び該第２ブルートゥースデバイス６２を通じて該アプリケーションプログラム６１に無線伝送する。該アプリケーションプログラム６１は、睡眠状態コマンドを生成し、該第２ブルートゥースデバイス６２及び該第１ブルートゥースデバイス５０を通じて該コントローラ４０に無線伝送する。該コントローラ４０の該処理モジュール４１は、睡眠状態コマンドを受信して睡眠状態信号を生成した場合、該ストレージモジュール４２に保存されている該生理的活動情報、例えば心拍をフェッチし、該第１ブルートゥースデバイス５０及び該第２ブルートゥースデバイス６２を通じて該睡眠状態モード６１０に無線伝送し、この時図６に示すように、該スマートデバイス６０が人体のリアルタイムな心拍を表示し、利用者の睡眠時人体のリアルタイムな心拍が２２ＢＰＭ（１分当たりの心拍数）とする。
【００３７】
図１６を参照すると、図１６は本発明に係るスマートベッドでモニタリングした呼吸曲線図である。本発明の該アプリケーションプログラム６１の該睡眠状態モード６１０も該センサーマット２０でモニタリングした呼吸回数を呼吸曲線図として集計してまとめることもできる。
【００３８】
利用者は、該睡眠記録モード６２０を選択すると、睡眠記録コマンドを生成し、該第２ブルートゥースデバイス６２及び該第１ブルートゥースデバイス５０を通じて該コントローラ４０に無線伝送し、該コントローラ４０の該処理モジュール４１が睡眠記録コマンドを受信して睡眠記録信号を生成した場合、保存されている該生理的活動情報をフェッチして該アプリケーションプログラム６１の該睡眠記録モード６２０に伝送し、該睡眠記録モード６２０は毎日・毎週・毎月の睡眠時間、覚醒、浅い眠り、深い眠りの時間及び割合、離床時間、臥床時間等を集計してまとめると共に記録し、また該スマートデバイス６０内に表示する。図７（ａ）、図７（ｂ）及び図７（ｃ）に示すように、利用者は、該睡眠記録モード６２０で集計してまとめた睡眠時間、離床時間、臥床時間及び覚醒、浅い眠り、深い眠り時間の割合及び統計図を通じて利用者の毎日・毎週・毎月の睡眠状態及び質を明確に理解できる。このほかに、覚醒、浅い眠り、深い眠り時間の割合も円グラフで示すことができる。
【００３９】
図４、図５及び図８を参照すると、図８は、本発明に係る電動ベッド操作モードを示す模式図である。該電動ベッド操作モード６３０を選択し、同時に該スマートベッド１が利用者の臥床を判断した場合、利用者が要望するマッサージ方式及び強弱、連動或いはマッサージ部位の選択によって、電動ベッド操作コマンドを生成でき、該コントローラ４０の該処理モジュール４１が該電動ベッド操作コマンドを受信して電動ベッド操作信号を生成すると、該電動ベッド操作信号が該電動ベッドフレーム９０或いは該マットレス１０内の少なくとも１つの振動モータ８０を作動させる。図８に示すように、該電動ベッド操作モード６３０において、利用者はマッサージ方式及び強弱、連動を調整又は手や足部のマッサージを選択できる。このほかに、その他の機能を付加でき、例えば音の大きさの制御、静音、マイナスイオン、起床、いびき補助等である。
【００４０】
図４、図５、図１３及び図１８を参照すると、図１３は、本発明に係る目覚まし時計モードを示す模式図であり；図１８が本発明に係る目覚まし時計モードの制御フローである。該目覚まし時計モード６５０を選択し、利用者がスマート目覚まし時計をオンにすると共に目覚まし時計の時間を設定すると、目覚まし時計の制御コマンドを生成し、該コントローラ４０の該処理モジュール４１が該目覚まし時計の制御コマンドを受信して目覚まし時計の制御信号を生成し、該目覚まし時計の制御信号が該マットレス１０内に設けられた該少なくとも１つの振動モータ８０を設定した時点に振動させて利用者を起こし、寝ている利用者を吃驚させない若しくはその他の人に影響を及ぼさない。
【００４１】
本発明の該アプリケーションプログラム６１の該目覚まし時計モード６５０の制御フローは、図１８に示す通りとし、該目覚まし時計モード６５０は各々曜日及び時刻を設定する５組の目覚ましアラームを提供でき、この目覚ましアラームが該スマートデバイス６０上の目覚まし時計ＡＰＰと関連性がない。該アプリケーションプログラム６１の該目覚まし時計モード６５０を起動し、目覚まし時計の時間帯を設定した後、目覚まし時計の制御コマンドを生成し、ブルートゥース４．０を通じて該コントローラ４０に伝送し、同時に該センサーマット２０は例えば心拍、脈波、血圧、睡眠分析及び呼吸回数のうちの少なくとも１つの該生理的活動情報を該コントローラ４０に伝送し、該コントローラ４０が該生理的活動情報によって臥床している人がいるかどうかを判断して該目覚まし時計モード６５０に返し、いる場合、該目覚まし時計モード６５０はいずれかの一組の目覚まし時計を作動させ、いない場合、臥床している人がいるかどうかを継続して検出する。臥床している人がいることを検出し且ついずれかの一組の目覚まし時計が作動した時、該コントローラ４０は臥床していて且つ睡眠状態に入った安定な呼吸状態にあるかを判断し、はいの場合、目覚まし時計の制御信号を生成して該振動モータ８０を起動し、強くから弱く、計５分間振動し、その後振動を停止し、いいえの場合、臥床している人がいるかどうかを継続して検出する。
【００４２】
図４、図５、図１４及び図１９を参照すると、図１４は本発明に係るナイトライトモードを示す模式図であり；図１９が本発明に係るナイトライトモードの制御フローである。該ナイトライトモード６６０を選択し、利用者がナイトライトモードをオンにしてナイトライトのオン及びオフ時間を設定すると、ナイトライトの制御コマンドを生成し、該コントローラ４０の該処理モジュール４１が該ナイトライトの制御コマンドを受信してナイトライトの制御信号を生成し、設定した時間帯内に、ＬＥＤ灯のオン及びオフを制御して暗過ぎることによる転倒を防止し、夜間の離床点灯・着床消灯を実現する。
【００４３】
本発明の該アプリケーションプログラム６１の該ナイトライトモード６６０の制御フローは、図１９に示す通りとし、該ナイトライトモード６６０は離床点灯／着床消灯の時間帯を設定でき、この時間帯以外の離床／着床が動作せず、設定した時間帯内において該アプリケーションプログラム６１の該ナイトライトモード６６０がナイトライトの制御コマンドがブルートゥース４．０によって該コントローラ４０に伝送され、同時に該センサーマット２０が例えば心拍、脈波、血圧、睡眠分析及び呼吸回数のうちの少なくとも１つの該生理的活動情報を該コントローラ４０に伝送し、該コントローラ４０は該生理的活動情報によって臥床している人がいるかどうかを判断して該ナイトライトモード６６０に返す。該ナイトライトモード６６０が受信した後、該ナイトライトモード６６０は該ナイトライトの制御コマンドを該コントローラ４０に生成し、いる場合（利用者が着床することを示す）、ＬＥＤ灯をオフにし、該コントローラ４０が目覚まし時計の制御信号を生成してＬＥＤ灯のオフを制御する。いない場合（利用者が離床していることを示す）、ＬＥＤ灯をオンにし、該コントローラ４０が目覚まし時計の制御信号を生成してＬＥＤ灯のオフを制御し、動作時間帯を超えた場合、オンになっているＬＥＤ灯がオフになり、オフ状態の場合いかなる動作も必要としない。
【００４４】
図４、図５、図１５及び図２０を参照すると、図１５は本発明に係るいびき補助モードを示す模式図であり；図２０が本発明に係るいびき補助モードの制御フローである。該いびき補助モード６７０を選択し、利用者がいびき補助機能をオンにし、いびき音を検出すると共にいびき音が６５デシベルを超えると判断した時、或いは１回につきいびきをかく時間、毎回いびきをかく時間の間隔制限条件を設定すると、いびき補助コマンドを生成し、該コントローラ４０の該処理モジュール４１が該いびき補助コマンドを受信していびき補助信号を生成し、該いびき補助信号が該マットレス１０内の該少なくとも１つの振動モータ８０を自動振動させていびきを解消し、若しくは該電動ベッドフレーム９０に高さを自動調整させていびきを解消することもできる。
【００４５】
本発明の該アプリケーションプログラム６１の該いびき補助モード６７０の制御フローは、図２０に示す通りとし、該センサーマット２０が例えば心拍、脈波、血圧、睡眠分析及び呼吸回数のうちの少なくとも１つの該生理的活動情報を該コントローラ４０に伝送し、該コントローラ４０が該生理的活動情報によって臥床している人がいるかどうかを判断して該いびき補助モード６７０に返し、同時に該スマートデバイス６０で利用者睡眠のいびき状態を検出し、該スマートデバイス６０内のマイクで集音して音声のフィルタリング及びノイズ除去を行う。いびき判断条件としては、ａ．１回当たりのいびき持続時間が０．６秒〜１．８秒とする。ｂ．１回当たりのいびきをかく時間の間隔が１．４秒〜４秒とする。ｃ．１回当たりのいびき音の間隔総時間の長さが２．８秒〜５．５秒（つまりａとｂの条件を加算する）とする。ｄ．以上の条件は４回に達し、ｄ条件を満たした時、該アプリケーションプログラム６１はブルートゥース４．０を通じていびき補助の制御コマンドを該コントローラ４０に伝送し、該コントローラ４０がいびき補助の制御信号を生成して該少なくとも１つの振動モータ８０を起動して振動させ、弱くから強く、計５秒振動してから振動を停止する。以上のａ〜ｄ条件をクリアできない場合、改めて判断及び計算し直す。
【００４６】
図４、図５、図９及び図１２を参照すると、図９は本発明に係る家電制御モードを示す模式図であり；図１２が本発明に係る家電制御モードにおける追加制御を示す模式図である。該家電制御モード６４０を選択すると、利用者がどの家電のリモートコントロールを選択し、またシナリオの設定により家電の自動作動を制御し、家電連動を増設し、並びにスマートソケットを増設すると、家電制御コマンドを生成し、該コントローラ４０の該処理モジュール４１が該家電制御コマンドを受信して家電制御信号を生成し、該家電制御信号が選択した家電をリモートコントロールし、またシナリオの設定した条件により家電を自動作動させ、睡眠の外部環境、例えば温度、湿度又は輝度等を変更させる。家電には、ブルートゥース設備を内蔵しなければならならい。図９、図１２に示すように、該家電制御モード６４０において、テレビ、照明器具、冷暖房、扇風機、空気清浄機或いはコーヒーメーカー等の家電に対しリモートコントロールでき、また赤外線家電連動若しくはスマートソケット等も増設できる。
【００４７】
図１７に示すように、該アプリケーションプログラムの該家電制御モードの制御フローは次に記述する。利用者が該スマートベッドに横になり、ＱＲ ＣＯＤＥを入力して該スマートデバイスの該アプリケーションプログラムを起動し；利用者が該アプリケーションプログラムの該家電制御モードを選択すると、該センサーマットは人体の動きによって該生理的活動情報を生成し、該コントローラにより該生理的活動情報を分析すると共に臥床の有無を判断し、ブルートゥース４．０．を通じて該アプリケーションプログラムに伝送して該生理的活動情報をまとめて集計し、また家電制御コマンドを該コントローラに生成し、ブルートゥース４．０．を通じて該コントローラに伝送して家電制御信号を生成して該少なくとも１つの振動モータ、該シューマン共振発生器及び該少なくとも１つの赤外線家電の作動を制御する。利用者が離床した時、ステップＤを繰り返し、利用者が臥床している時、ステップＦへ進む。
【００４８】
図１０（ａ）、図１０（ｂ）、図１０（ｃ）、図１０（ｄ）及び図１０（ｅ）を参照すると、図１０（ａ）は本発明に係る家電制御モードにおけるテレビの制御を示す模式図であり；図１０（ｂ）が本発明に係る家電制御モードの冷暖房の制御を示す模式図であり；図１０（ｃ）が本発明に係る家電制御モードのナイトライトの制御を示す模式図であり；図１０（ｄ）が本発明の家電制御モードの扇風機の制御を示す模式図であり；図１０（ｅ）が本発明に係る家電制御モードのコーヒーメーカーの制御を示す模式図である。図１０（ａ）に示すように、利用者がテレビの自動作動のリモートコントロールを選択した時、音量やチャネルの調整、静音の設定、複数台のテレビチャネル選択、電源のオンオフ及び寝る時にテレビを消すことが可能である。テレビの主電源部分にＷｉＦｉ（登録商標）スマートソケットを増設してシナリオ制御の用に供し、寝る時にテレビを消す機能をオンにした場合、そのシナリオ条件を浅い眠り或いは深い眠りに入った時、スマートソケットがテレビの主電源を切ることを設定する。ダブルベッドの左右両側に寝ている人がいる時、どちらの側にいる人が浅い眠り或いは深い眠り状態になっていると検出した場合、テレビを消す。図１０（ｂ）に示すように、利用者が冷暖房の自動作動のリモートコントロールを選択した時、温度の調整、モード・風速・風向・電源オンオフ及び冷房や暖房の自動オンの設定が可能である。そのシナリオ条件を環境温度が２８℃まで上昇すると検出した場合、冷房が自動オンにされ、温度が２２℃までに下がると、暖房が自動オンになるよう設定する。図１０（ｃ）に示すように、利用者がナイトライトの自動作動のリモートコントロールを選択した時、輝度、色、電源オンオフ及び離床補助を調整でき、そのシナリオ条件は１８：００〜０６：００に離床した場合自動的に点灯し、着床した場合自動的に消灯に設定する。図１０（ｄ）に示すように、利用者が扇風機の自動作動のリモートコントロールを選択した時、温度の調整、モード・風速・風向・電源オンオフ及び自動オンオフの設定が可能であり、そのシナリオ条件を温度が３０℃まで上昇すると自動オンにし、温度が２４℃までに下がると、自動オフに設定する。図１０（ｅ）に示すように、コーヒーメーカーの主電源部分にＷｉＦｉスマートソケットを増設してシナリオ制御の用に供する。利用者がコーヒーメーカーの自動作動のリモートコントロールを選択した時、コーヒーメーカーのペアリング、接続を行い、コーヒーの蒸らし時間及び起床時に自動オンの設定が可能であり、そのシナリオ条件を設定した時間範囲内に利用者の離床を判断した後、ＷｉＦｉスマートソケットを制御して電源をオンにし、コーヒーメーカーを起動してコーヒーを蒸らすことを設定する。上記シナリオ条件は、利用者のニーズに応じて設定できるので、これに限られるものではない。
【００４９】
図１１（ａ）、図１１（ｂ）、図１１（ｃ）及び図１１（ｄ）を参照すると、図１１（ａ）は、本発明に係る家電制御モードの空気清浄機の制御を示す模式図一であり；図１１（ｂ）が本発明に係る家電制御モードの空気清浄機の制御を示す模式図二であり；図１１（ｃ）が本発明に係る家電制御モードの空気清浄機の制御を示す模式図三であり；図１１（ｄ）が本発明に係る家電制御モードの空気清浄機の制御を示す模式図四である。利用者が空気清浄機の自動作動のリモートコントロールを選択した時、空気品質を検査し、参考説明、アドバンス設定及び履歴等の機能を有する。図１１（ｃ）に示すように、参考説明は各国基準及び空気品質指標ＩＡＱＡのＰＭ２．５濃度に対応するデータを表示する。図１１（ａ）及び図１１（ｂ）に示すように、アドバンス設定は、マイナスイオン機能、定刻及び濃度が高すぎる警告の設定であり、また大気中の浮遊粒子状物質濃度を検査する。図１１（ｄ）に示すように、履歴は１日の浮遊粒子状物質濃度を表示し、統計図で示す。
【００５０】
上記家電以外に、音響機器の自動制御も増設でき、音響機器の主電源部分にＷｉＦｉスマートソケットを増設してシナリオ制御の用に供する。寝る時音響機器をオフにする機能をオンにし、利用者が深い眠りに入ったと判断した時、ＷｉＦｉスマートソケットを制御して音響機器の主電源を切る。ダブルベッドの左右両側に寝ている人がいる時、どちらかの側にいる人が深い眠り状態に入ったことを検出すると、音響機器をオフにする。
【００５１】
上記家電の自動制御は、均しくＷｉＦｉスマートソケットを増設してシナリオ制御の用に供することができる。図１２及び図２１を参照すると、図２１は、本発明に係る家電制御の赤外線学習フローチャートである。該アプリケーションプログラム６１の該家電制御モード６４０における追加機能をオンにし、該アプリケーションプログラム６１によりセットする万能リモコンを設定並びにペアリングし、赤外線学習を経た後、周辺の赤外線家電設備を制御できる。
【００５２】
図２２を参照すると、図２２は、本発明に係るシューマン共振発生器の制御フローである。該センサーマット２０は、例えば心拍、脈波、血圧及び呼吸回数のうちの少なくとも１つの該生理的活動情報を該コントローラ４０に伝送した場合、該コントローラ４０は利用者が臥床しているかどうかを判断し、ブルートゥース４．０を通じて該アプリケーションプログラム６１に返し、該アプリケーションプログラム６１がブルートゥース４．０を通じてオンコマンドを該コントローラ４０に伝送し、該シューマン共振発生器３０の電源をオンにする。該コントローラ４０は利用者が離床したと判断した場合、該アプリケーションプログラム６１がオフコマンドを該コントローラ４０に伝送し、該シューマン共振発生器３０の電源をオフにする。
【産業上の利用可能性】
【００５３】
先述から分かるように、本発明のスマートデバイスと光ファイバー型センサーマットはブルートゥースのペアリング・接続を通じて双方向に伝送するため、睡眠プロセスをモニタリングすると同時に、生理的活動のシナリオによって家電を自動リモートコントロールして外部環境条件を改善し、睡眠の質を向上でき、またいびき補助、マットレスの自動振動で知らせてくれる目覚まし時計設定及び夜間の離床点灯補助等の機能を更に備える。
【００５４】
以上、本発明を実施するための好ましい実施例について説明したが、該実施例は本発明の理解を容易にするためのものであり、本発明を限定して解釈するためのものではない。本発明の技術精神から逸脱することなく、行った等価構造の実施又は変化は、本発明の特許請求の範囲内に含まれることは勿論である。
【符号の説明】
【００５５】
１     スマートベッド
１０   マットレス
１１   表層
１２   フィット層
１２０ 溝
１３   支持層
２０   センサーマット
３０   シューマン共振発生器
４０   コントローラ
４１   処理モジュール
４２   ストレージモジュール
５０   第１ブルートゥースデバイス
６０   スマートデバイス
６１   アプリケーションプログラム
６１０ 睡眠状態モード
６２０ 睡眠記録モード
６３０ 電動ベッド操作モード
６４０ 家電制御モード
６５０ 目覚まし時計モード
６６０ ナイトライトモード
６７０ いびき補助モード
６２   第２ブルートゥースデバイス
７０   電源管理供給装置
８０   振動モータ
９０   電動ベッドフレーム
【図１（ａ）】
2018094372.tif 000003
【図１（ｂ）】
2018094372.tif 000004
【図１（ｃ）】
2018094372.tif 000005
【図１（ｄ）】
2018094372.tif 000006
【図２】
2018094372.tif 000007
【図３】
2018094372.tif 000008
【図４】
2018094372.tif 000009
【図５】
2018094372.tif 000010
【図６】
2018094372.tif 000011
【図７（ａ）】
2018094372.tif 000012
【図７（ｂ）】
2018094372.tif 000013
【図７（ｃ）】
2018094372.tif 000014
【図８】
2018094372.tif 000015
【図９】
2018094372.tif 000016
【図１０（ａ）】
2018094372.tif 000017
【図１０（ｂ）】
2018094372.tif 000018
【図１０（ｃ）】
2018094372.tif 000019
【図１０（ｄ）】
2018094372.tif 000020
【図１０（ｅ）】
2018094372.tif 000021
【図１１（ａ）】
2018094372.tif 000022
【図１１（ｂ）】
2018094372.tif 000023
【図１１（ｃ）】
2018094372.tif 000024
【図１１（ｄ）】
2018094372.tif 000025
【図１２】
2018094372.tif 000026
【図１３】
2018094372.tif 000027
【図１４】
2018094372.tif 000028
【図１５】
2018094372.tif 000029
【図１６】
2018094372.tif 000030
【図１７】
2018094372.tif 000031
【図１８】
2018094372.tif 000032
【図１９】
2018094372.tif 000033
【図２０】
2018094372.tif 000034
【図２１】
2018094372.tif 000035
【図２２】
2018094372.tif 000036